(57)【要約】【課題】光ディスク装置において、搬送ローラに付着する粉塵により生じ得る不具合を効果的に防止する。【解決手段】挿入されたディスク１を搬送するための搬送ローラ２と、この搬送に際してディスクの面に接触する搬送位置に位置し、搬送の終了後、ディスクと干渉しない退避位置に位置するように、搬送ローラの位置を制御するローラ位置制御手段５とを備えたディスク搬送装置において、搬送ローラの軸の周りで回転可能に設けられ、搬送ローラのローラ面を所定の範囲で覆うカバー部材４と、搬送ローラが搬送位置に位置するときにはローラ面がディスク面に接触するのを妨げない第１の回転位置に位置し、退避位置に位置するときにはディスク面に対してローラ面を覆う第２の回転位置に位置するように、カバー部材の位置を制御するカバー位置制御手段５、６、７とを設ける。【選択図】図１
2009301629.tif 000002
【特許請求の範囲】
【請求項１】
挿入されたディスクを搬送するための搬送ローラと、
前記搬送に際して前記ディスクに接触する搬送位置に位置し、前記搬送の終了後、前記搬送ローラが前記ディスクと干渉しない退避位置に位置するように、前記搬送ローラの位置を制御するローラ位置制御手段と、
前記搬送ローラの軸の周りで回転可能に設けられ、前記搬送ローラのローラ面を所定の範囲で覆うカバー部材と、
前記搬送ローラが前記搬送位置に位置するときには前記ローラ面が前記ディスク面に接触するのを妨げない第１の回転位置に位置し、前記退避位置に位置するときには前記ディスク面に対して前記ローラ面を覆う第２の回転位置に位置するように、前記カバー部材の位置を制御するカバー位置制御手段とを具備することを特徴とするディスク搬送装置。
【請求項２】
前記ローラ位置制御手段は、前記搬送ローラ及びカバー部材を前記搬送ローラの軸の周りに相互に独立して回転可能に支持する支持部材を備え、該支持部材を回転させることにより前記搬送ローラの位置制御を行うものであり、
前記カバー位置制御手段は、前記カバー部材に対して位置が固定されたカバー側接触部と、装置の筐体に対して位置が固定された筐体側接触部とを備え、前記支持部材の回転時における両接触部の係り合いによって前記カバー部材を回転させることにより、前記カバー部材の位置制御を行うものであることを特徴とする請求項１に記載のディスク搬送装置。
【請求項３】
前記ローラ位置制御手段は、前記搬送ローラ及びカバー部材を前記搬送ローラの軸の周りに相互に独立して回転可能に支持する支持部材を備え、該支持部材を回転させることにより前記搬送ローラの位置制御を行うものであり、
前記カバー位置制御手段は、前記カバー部材に対して位置が固定されたカバー側歯車部と、装置の筐体に対して位置が固定された筐体側歯車部とを備え、前記支持部材の回転時における両歯車部の係り合いによって前記カバー部材を回転させることにより、前記カバー部材の位置制御を行うものであることを特徴とする請求項１に記載のディスク搬送装置。
【請求項４】
前記カバー位置制御手段は、
前記支持部材に対する前記カバー部材の相対位置を、前記搬送ローラが前記搬送位置に位置するときの相対位置に維持するように前記カバー部材に対して回転力を付与する付勢手段を備え、
前記支持部材の回転に際し、前記支持部材が所定の角度まで回転し、前記係り合いが開始するまで、前記カバー部材の相対位置を維持することを特徴とする請求項２又は３に記載のディスク搬送装置。
【請求項５】
前記搬送ローラが前記退避位置に位置するとき、前記搬送ローラのローラ面が接触可能な位置に、該ローラ面をクリーニングするためのクリーニング部材を有することを特徴とする請求項１〜４のいずれか１項に記載のディスク搬送装置。
【請求項６】
前記搬送ローラのローラ面及び前記カバー部材間に、該ローラ面をクリーニングするためのクリーニング部材を有することを特徴とする請求項１〜４のいずれか１項に記載のディスク搬送装置。
【発明の詳細な説明】
【技術分野】
【０００１】
本発明は、挿入されたディスクを所定位置に搬送するディスク搬送装置に関する。
【背景技術】
【０００２】
図４は一般的な従来の光ディスク装置の断面図である。この装置は、挿入された光ディスクを装置内に搬入し、光ディスクからのデータの読取りや光ディスクに対するデータの書込みを行うためのものである。すなわち、この装置において、同図に示すように、筐体４９の挿入口５０から光ディスク４１が挿入されると、搬送ローラ４２が回転される。これにより光ディスク４１は、上面をディスクガイド５１によって案内されながら、下面に対して搬送ローラ４２により付与される推進力によってターンテーブル５３の方へ搬送される。
【０００３】
光ディスク４１がターンテーブル５３の上まで搬送されると、搬送ローラ４２を支持している支持アーム４５が支持台５２上で、図に向かって時計回りに回転される。これにより、搬送ローラ４２は光ディスク４１と干渉しない位置に退避される。これと同時に、光ディスク４１はクランパ５４によってターンテーブル５３上にクランプされる。これにより、光ディスク４１の搬入が完了する。
【０００４】
搬入された光ディスク４１は、スピンドルモータ５５によりターンテーブル５３上で回転されながら、光ピックアップ５６によりデータの読取りや書込みが行われる。その際、光ディスク４１における半径方向のアクセス位置に応じ、ガイド軸５７上で光ピックアップ５６の該半径方向の位置が制御される。
【０００５】
このような光ディスク装置において、従来、搬送ローラに付着するごみ等が、光ディスクに傷をつけるおそれがあるという問題がある。
【０００６】
そこで、挿入口５０の近傍に、搬送ローラのローラ面をクリーニングするためのブラシを設け、ローラ面をクリーンな状態に保つようにした技術が提案されている（たとえば特許文献１参照）。また、挿入口５０から光ディスクの代わりに、搬送ローラのローラ面を清掃するための清掃部を設けたディスク状の清掃部材を挿入することにより、搬送ローラのローラ面を清掃するようにした技術も提案されている（たとえば、特許文献２参照）。
【０００７】
【特許文献１】特開平０８−０６９６５５号公報
【特許文献２】特開２００６−２７７７８８号公報
【発明の開示】
【発明が解決しようとする課題】
【０００８】
しかしながら、上述のクリーニング用ブラシを設ける技術によれば、搬送ローラに付着したごみ等をクリーニングするものであるため、搬送ローラにごみ等が付着するのを防止することができない。したがってより細かい粉塵が搬送ローラに付着するおそれがあり、そのような粉塵が搬送ローラに付着すると、クリーニング用ブラシによってはそれを除去することができないおそれがある。
【０００９】
すなわち、光ディスク装置においては光ディスクへのアクセスに際し、光ディスクは高速で回転され、これにより負圧が発生し、この負圧により光ディスクの挿入口を介して外部から粉塵が筐体内に吸い込まれる。吸い込まれた粉塵が搬送ローラに付着すると、ローラ面の摩擦係数が低下し、光ディスクの搬送に支障を来たすおそれがある。上記クリーニング用ブラシによれば、搬送ローラに付着した微細な粉塵を除去することができず、粉塵による摩擦係数の低下を防止することができないおそれがある。また、粉塵の種類によっては光ディスクに傷をつけるおそれもあるが、上記クリーニング用ブラシによればかかる粉塵を除去することができず、かかる粉塵による傷の発生を防止することができないおそれもある。
【００１０】
一方、上述のディスク状の清掃部材を使用する技術も、搬送ローラに付着したごみ等を清掃するものであるため、搬送ローラにごみ等が付着するのを防止することができない。また、この技術によれば、ディスク状の清掃部材を用意しなければならないため、ユーザに大きな経済的負担を強いることになる。また、ディスク状の清掃部材を用いて適宜清掃を行う必要があるので、ユーザにメンテナンス上の負担を強いることにもなる。
【００１１】
本発明の目的は、このような従来技術の問題点に鑑み、光ディスク装置において、搬送ローラに付着する粉塵により生じるおそれがある不具合を効果的に防止することができる技術を提供することにある。
【課題を解決するための手段】
【００１２】
この目的を達成するため、第１の発明に係るディスク搬送装置は、挿入されたディスクを搬送するための搬送ローラと、前記搬送に際して前記ディスクに接触する搬送位置に位置し、前記搬送の終了後、前記搬送ローラが前記ディスクと干渉しない退避位置に位置するように、前記搬送ローラの位置を制御するローラ位置制御手段と、前記搬送ローラの軸の周りで回転可能に設けられ、前記搬送ローラのローラ面を所定の範囲で覆うカバー部材と、前記搬送ローラが前記搬送位置に位置するときには前記ローラ面が前記ディスク面に接触するのを妨げない第１の回転位置に位置し、前記退避位置に位置するときには前記ディスク面に対して前記ローラ面を覆う第２の回転位置に位置するように、前記カバー部材の位置を制御するカバー位置制御手段とを具備することを特徴とする。
【００１３】
第２の発明に係るディスク搬送装置は、第１発明において、前記ローラ位置制御手段は、前記搬送ローラ及びカバー部材を前記搬送ローラの軸の周りに相互に独立して回転可能に支持する支持部材を備え、該支持部材を回転させることにより前記搬送ローラの位置制御を行うものであり、前記カバー位置制御手段は、前記カバー部材に対して位置が固定されたカバー側接触部と、装置の筐体に対して位置が固定された筐体側接触部とを備え、前記支持部材の回転時における両接触部の係り合いによって前記カバー部材を回転させることにより、前記カバー部材の位置制御を行うものであることを特徴とする。
【００１４】
第３の発明に係るディスク搬送装置は、第１発明において、前記ローラ位置制御手段は、前記搬送ローラ及びカバー部材を前記搬送ローラの軸の周りに相互に独立して回転可能に支持する支持部材を備え、該支持部材を回転させることにより前記搬送ローラの位置制御を行うものであり、前記カバー位置制御手段は、前記カバー部材に対して位置が固定されたカバー側歯車部と、装置の筐体に対して位置が固定された筐体側歯車部とを備え、前記支持部材の回転時における両歯車部の係り合いによって前記カバー部材を回転させることにより、前記カバー部材の位置制御を行うものであることを特徴とする。
【００１５】
第４の発明に係るディスク搬送装置は、第２又は第３発明において、前記カバー位置制御手段は、前記支持部材に対する前記カバー部材の相対位置を、前記搬送ローラが前記搬送位置に位置するときの相対位置に維持するように前記カバー部材に対して回転力を付与する付勢手段を備え、前記支持部材の回転に際し、前記支持部材が所定の角度まで回転し、前記係り合いが開始するまで、前記カバー部材の相対位置を維持することを特徴とする。
【００１６】
第５の発明に係るディスク搬送装置は、第１〜第４のいずれかの発明において、前記搬送ローラが前記退避位置に位置するとき、前記搬送ローラのローラ面が接触可能な位置に、該ローラ面をクリーニングするためのクリーニング部材を有することを特徴とする。
【００１７】
第６の発明に係るディスク搬送装置は、第１〜第４のいずれかの発明において、前記搬送ローラのローラ面及び前記カバー部材間に、該ローラ面をクリーニングするためのクリーニング部材を有することを特徴とする。
【発明の効果】
【００１８】
本発明によれば、搬送ローラが退避位置にあるときにディスク側から下降してくる粉塵がローラ面に付着するのを防止することができる。したがって、搬送ローラに付着する粉塵により発生するおそれがある不具合を効果的に防止することができる。
【発明を実施するための最良の形態】
【００１９】
図１は本発明の一実施形態に係る光ディスク装置の構成を示す断面図である。図１（ａ）は光ディスク１が搬送される様子を示している。図１（ｂ）は光ディスク１が所定位置まで搬送され、搬送ローラを退避させるときの様子を示している。図１（ｃ）は光ディスク１の搬入が完了したときの様子を示している。なお、光ディスク１としては、たとえばＣＤや、ＭＤ、ＤＶＤが該当する。
【００２０】
同図に示すように、この装置は、挿入された光ディスク１を搬送するための搬送ローラ２と、該搬送に際して光ディスク１の下面に接触する搬送位置に位置し、搬送の終了後、光ディスク１と干渉しない退避位置に位置するように、搬送ローラ２の位置を制御するローラ位置制御手段（５）と、搬送ローラ２の軸の周りで回転可能に設けられ、搬送ローラ２のローラ面を所定の範囲で覆うカバー部材４と、搬送ローラ２が搬送位置に位置するときにはローラ面が光ディスク１の下面に接触するのを妨げない第１の回転位置（以下、「下側回転位置」という。）に位置し、退避位置に位置するときには光ディスク１の下面に対してローラ面を覆う第２の回転位置（以下、「上側回転位置」という。）に位置するように、カバー部材４の位置を制御するカバー位置制御手段（５、６、７）とを備える。図１（ａ）では搬送位置に位置する搬送ローラ２及び下側回転位置に位置する防塵カバー４が示されている。図１（ｃ）では退避位置に位置する搬送ローラ２及び上側回転位置に位置する防塵カバー４が示されている。
【００２１】
ローラ位置制御手段は、搬送ローラ２及び防塵カバー４を搬送ローラ２の軸の周りに相互に独立して回転可能に支持する支持アーム５を備え、支持アーム５を回転させることにより搬送ローラ２の位置制御を行うものである。カバー位置制御手段は、防塵カバー４に対して位置が固定されたカバー側歯車部６と、装置の筐体９に対して位置が固定された筐体側歯車部７とを備え、支持アーム５の回転時における両歯車部６及び７の噛合いによって防塵カバー４を回転させることにより、防塵カバー４の位置制御を行うものである。
【００２２】
図中の８は、搬送ローラ２のローラ面をクリーニングするためのクリーニング部材である。クリーニング部材８は、搬送ローラ２が退避位置に位置するときに搬送ローラ２のローラ面が接触可能な筐体９上の位置に設けられている。図中の１０は筐体９に設けられた挿入口である。光ディスク１は挿入口１０を経て筐体９内に挿入される。
【００２３】
筐体９内にはさらに、挿入された光ディスク１の上面を案内するディスクガイド１１、支持アーム５を回転可能に支持する支持台１２、搬入された光ディスク１を支持して回転するターンテーブル１３、ターンテーブル１３の上の所定位置に搬送された光ディスク１をターンテーブル１３上にクランプするクランパ１４、ターンテーブル１３を回転させるスピンドルモータ１５、ターンテーブル１３上で回転する光ディスク１についてデータの読取や書込みを行うための光ピックアップ１６、及び光ピックアップ１６を光ディスク１の半径方向に移動可能に支持するガイド軸１７が設けられる。
【００２４】
防塵カバー４は搬送ローラ２のローラ面を、その回転軸を中心とする角度の範囲でみると、２４０°程度の範囲を覆っている。残りの１２０°程度の範囲は覆っていない開放部分となっている。防塵カバー４は図１（ａ）で示される下側回転位置に位置するとき、開放部分が光ディスク１側に位置し、搬送ローラ２のローラ面が光ディスク１の下面に接触するのを妨げない。一方、図１（ｃ）で示される退避位置に位置するとき、開放部分が光ディスク１とは反対側に位置し、搬送ローラ２のローラ面をクリーニング部材８に接触させる。このとき、防塵カバー４は搬送ローラ２の光ディスク１側のローラ面を覆う。
【００２５】
防塵カバー４は図示していないばねにより、図に向かって反時計方向の回転力が付与されながら、支持アーム５に対し、図１（ａ）で示される位置関係で保持されている。つまり防塵カバー４は、支持アーム５に対し、カバー側歯車部６及び筐体側歯車部７の噛合いによってのみ相対的に回転するように設けられている。したがって、両歯車部６及び７が噛み合っていない場合には、支持アーム５に対する防塵カバー４の相対位置は常に図１（ａ）における相対位置に維持される。
【００２６】
カバー側歯車部６及び筐体側歯車部７は、図１（ａ）から図１（ｃ）の状態へ移行するに際し、支持アーム５が４５°程度回転して図１（ｂ）の状態になったときに噛合いを開始し、その後、図１（ｃ）の状態に到るまで噛合い状態が継続されるように設けられる。したがって、防塵カバー４は図１（ａ）から図１（ｂ）の状態に移行する間に、４５°程度回転し、図１（ｂ）から図１（ｃ）の状態に移行する間に１３５°程度回転することになる。この１３５°の回転は、支持アーム５の４５°の回転、並びにカバー側歯車部６及び筐体側歯車部７の噛合いによる９０°の回転を合計したものである。つまり、そうなるようにカバー側歯車部６及び筐体側歯車部７の半径の比は１：２とされる。
【００２７】
この構成において、図１（ａ）のように、光ディスク１が挿入口１０を介してディスクガイド１１及び搬送ローラ２間に挿入されると、装置は搬送ローラ２を回転させ、光ディスク１の搬入を開始する。このとき支持アーム５により、防塵カバー４は開放部分が光ディスク１側に向いた下側回転位置に位置しており、搬送ローラ２はローラ面が光ディスク１の下面に接触する搬送位置に位置づけられている。したがってこの後、光ディスク１は上面をディスクガイド１１によりガイドされ、下面において搬送ローラ２からの推力を受けながら、ターンテーブル１３上の所定位置へ向けて搬送される。
【００２８】
光ディスク１が所定位置に達すると、装置は搬送ローラ２を退避位置に退避させるために、図に向かって時計方向へ向けて、支持アーム５の回転を開始する。これにより防塵カバー４も回転を開始することになる。支持アーム５が４５°程度回転すると、図１（ｂ）の状態となり、カバー側歯車部６及び筐体側歯車部７の噛合いが開始する。このとき、防塵カバー４も４５°程度回転した状態となっている。
【００２９】
さらに支持アーム５が４５°程度回転すると、搬送ローラ２は退避位置に達する。また防塵カバー４も、この支持アーム５の回転と、その間のカバー側歯車部６及び筐体側歯車部７の噛合いにより、さらに１３５°程度回転し、上側回転位置に達する。これにより、図１（ｃ）の状態となり、搬送ローラ２の退避が完了する。このとき、防塵カバー４はディスク１の裏面に対して搬送ローラ２のローラ面を覆い、かつ開放部分がクリーニング部材８側に位置する。つまり、防塵カバー４はディスク１側からの粉塵がローラ面に付着するのを防止するとともに、搬送ローラ２のローラ面がクリーニング部材８に接触するのを許容する。
【００３０】
一方、この搬送ローラ２の退避位置への退避と並行して、装置は、クランパ１４をそのクランプ面１４ａが光ディスク１方向へ移動するように回転させ、図１（ｃ）のように、光ディスク１をターンテーブル１３上にクランプする。これにより、光ディスク１の搬入が完了する。
【００３１】
光ディスク１の搬入を完了すると、装置はスピンドルモータ１５によって光ディスク１を回転させながら、光ピックアップ１６により光ディスク１についてデータの読取りや書込みを行う。その際、光ディスク１上のアクセス位置に応じて、光ディスク１の半径方向における光ピックアップ１６の位置が、ガイド軸１７に沿って制御される。光ディスク１へのアクセスに際し、光ディスク１の回転により負圧が生じ、挿入口１０から外部の粉塵が筐体９内に吸い込まれる。しかしこのとき、搬送ローラ２の光ディスク１側を覆う防塵カバー４によってローラ面への粉塵の付着が防止される。一方、装置は、搬送ローラ２を所定のタイミングで回転させることにより、ローラ面に付着した粉塵をクリーニング部材８によって除去することができる。
【００３２】
なお、光ディスク１の搬出は、以上の搬入の場合の動作と逆の動作により行われる。すなわち、クランパ１４によるクランプを解除するとともに、支持アーム５を９０°程度反時計回りに回転させて搬送ローラ２を退避位置から搬送位置に復帰させる。これにより防塵カバー４は反時計回りに１８０°回転し、上側回転位置から下側回転位置に変位する。その後、装置は搬送ローラ２を反時計回りに回転させ、光ディスク１を挿入口１０へ搬送する。これにより、光ディスク１の搬出が完了する。
【００３３】
本実施形態によれば、搬送ローラ２のローラ面を部分的に覆う防塵カバー４を設け、搬送ローラ２が搬送位置に位置するときには防塵カバー４が下側回転位置に位置し、搬送ローラ２が退避位置に位置するときには防塵カバー４が上側回転位置に位置するようにしたため、光ディスク１の回転により外部から挿入口１０を経て吸い込まれる粉塵がローラ面に付着するのを防止することができる。また、搬送ローラ２が退避位置に位置するときに搬送ローラ２のローラ面が接触する位置にクリーニング部材８を設けるようにしたため、その状態において搬送ローラ２を回転させることにより、ローラ面に付着した粉塵を除去することができる。これにより、搬送ローラ２のローラ面を常にクリーンな状態に維持して摩擦係数の低下を防止し、光ディスク１の搬送を安定して行うことができる。また、ローラ面に付着した粉塵によって光ディスク１に損傷を与えるのを防止することができる。
【００３４】
また、防塵カバー４、カバー側歯車部６、筐体側歯車部７、及びクリーニング部材８を追加的に設けるだけの簡便な構成により、低コストで、追加的なスペースを要することもなく、上記効果を得ることができる。
【００３５】
図２は本発明の別の実施形態に係る光ディスク装置の一部を示す断面図である。この装置は、図１の装置とはカバー位置制御手段のみが異なる。図中の図１の場合と同一の符号は図１の場合と同様の要素を示す。図２中の２６は、図１の装置におけるカバー側歯車部６の代わりに防塵カバー４上に設けられたカバー側接触部であり、２７は図１の装置における装置側歯車部７の代わりに支持台１２上に設けられた筐体側接触部である。他の構成は図１の場合と同様である。
【００３６】
カバー側接触部２６及び筐体側接触部２７はカバー側歯車部６及び装置側歯車部７と同様の範囲にわたって設けられており、カバー側歯車部６及び装置側歯車部７の場合と同様に、相互に接触して防塵カバー４を回転させ、防塵カバー４の回転位置を制御するカバー位置制御手段を構成する。これを達成するために、カバー側接触部２６及び筐体側接触部２７の各接触面は所定の摩擦係数を有する。本実施形態によっても、図１の実施形態の場合と同様の作用効果を奏する。
【００３７】
図３は本発明のさらに別の実施形態に係る光ディスク装置の一部を示す断面図である。図中の図１の場合と同一の符号は図１の場合と同様の要素を示す。図中の３８は、図１の装置におけるクリーニング部材８の代わりに防塵カバー４の内側において、搬送ローラ２のローラ面との間に設けられたクリーニング部材である。
【００３８】
この場合、光ディスク１の搬送を行っている間に、搬送ローラ２の回転により、そのローラ面がクリーニング部材３８によってクリーニングされる。したがって、退避位置において搬送ローラ２を回転させる必要なく、ローラ面に付着した粉塵を除去することができる。
【００３９】
なお、本発明は上述実施形態に限定されることなく、適宜変形して実施することができる。たとえば、上述においては、ローラ位置制御手段として、支持アーム５を回転させることにより搬送ローラ２の位置制御を行うものを用いているが、この代わりに、搬送ローラ２の支持部をスライドさせることにより搬送ローラ２の位置の制御を行うものを用いるようにしてもよい。この場合、スライドにより搬送ローラ２が移動する経路上に、筐体側歯車部７や筐体側接触部２７に相当する要素を設けることにより、上述と同様の機能を有するカバー位置制御手段を構成することができる。
【図面の簡単な説明】
【００４０】
【図１】本発明の一実施形態に係る光ディスク装置の構成を示す断面図である。
【図２】本発明の別の実施形態に係る光ディスク装置の一部を示す断面図である。
【図３】本発明のさらに別の実施形態に係る光ディスク装置の一部を示す断面図である。
【図４】従来の光ディスク装置の断面図である。
【符号の説明】
【００４１】
１，４１：光ディスク、２，４２：搬送ローラ、４：防塵カバー、５，４５：支持アーム、６：カバー側歯車部、７：筐体側歯車部、８：クリーニング部材、９，４９：筐体、１０，５０：挿入口、１１，５１：ディスクガイド、１２，５２：支持台、１３，５３：ターンテーブル、１４，５４：クランパ、１４ａ：クランプ面、１５，５５：スピンドルモータ、１６，５６：光ピックアップ、１７，５７：ガイド軸、２６：カバー側接触部、２７：筐体側接触部、３８：クリーニング部材。
【図１】
2009301629.tif 000003
【図２】
2009301629.tif 000004
【図３】
2009301629.tif 000005
【図４】
2009301629.tif 000006